【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
撮影画像内の顔画像を検知し、上記顔画像の大きさと位置を検知可能な顔検知部と、
上記撮影画像を、顔画像のパターンと、顔画像の下の色、またはパターンで分類分けする分類部と、
上記分類部による分類分け結果に応じて同じ顔で異なる色、またはパターンの画像を表示する表示制御部と、
を有しており、
上記表示制御部は、上記顔画像に基づいて人物の部分を抽出し、上記人物の部分を表示することを特徴とする画像表示装置。
【請求項２】
上記表示制御部は、上記顔画像の大きさ及び／又は位置を変更することを特徴とする請求項１に記載の画像表示装置。
【請求項３】
上記表示制御部における表示では、上記分類部によって分類によって分類された複数の画像から人物の部分を、同時に、または順次に表示することを特徴とする請求項２に記載の画像表示装置。
【請求項４】
上記表示制御部における表示の際に、２つの画像の間に、この２つの画像を合成した合成画像を表示することを特徴とする請求項２に記載の画像表示装置。
【請求項５】
撮影画像を記憶する記憶部と、
上記撮影画像上で指定された人物と同一人物が写っている画像か否かを判定する人物判定部と、
上記撮影画像上の人物の服装部分を判定する服装判定部と、
上記人物判定部によって同一人物と判定された画像について、上記服装判定部によって異なる服装を着用していると判定された画像を検索する検索部と、
上記検索部によって、検索された画像を表示する表示部と、
を有することを特徴とする画像表示装置。
【請求項６】
上記表示部は、上記検索部によって検索された予め決められた数の画像を、同時に、または順次に表示することを特徴とする請求項５に記載の画像表示装置。
【請求項７】
上記表示部における表示では、上記検索部によって検索された画像中の顔の大きさ及び／又は位置を揃えることを特徴とする請求項５に記載の画像表示装置。
【請求項８】
上記検索部によって検索された画像から、人物の部分を抜き出す人物抽出部をさらに有し、
上記表示部は、上記人物抽出部によって抽出された人物を表示することを特徴とする請求項５に記載の画像表示装置。
【請求項９】
上記表示部は、上記検索部によって検索された複数の人物の大きさ、及び／又は位置を揃えることを特徴とする請求項８に記載の画像表示装置。
【請求項１０】
上記表示部は、上記検索部によって検索された複数の人物を、同時、または順次表示することを特徴とする請求項８に記載の画像表示装置。
【請求項１１】
撮影画像内の顔画像を検知するステップと、
上記撮影画像を、顔画像のパターンと、顔画像の下の色、またはパターンで分類分けするステップと、
上記分類分け結果に応じて同じ顔で異なる色、またはパターンの画像を一括表示するステップと、
を有することを特徴とする画像表示方法。
【請求項１２】
撮影画像を記憶するステップと、
上記撮影画像上で指定された人物と同一人物が写っている画像か否かを判定するステップと、
同一人物と判定された画像について、異なる服装を着用していると判定された画像を検索するステップと、
上記検索によって、予め決められた数の画像を検索すると、検索された画像を一括して表示するステップと、
を有することを特徴とする画像表示方法。
【請求項１３】
上記表示するステップでは、更に、
上記検索された画像から、人物の部分を抜き出すステップと、
上記抽出された人物を表示するステップと、
を有することを特徴とする請求項１２に記載の画像表示方法。
【請求項１４】
撮影画像内の顔画像を検知するステップと、
上記撮影画像を、顔画像のパターンと、顔画像の下の色、またはパターンで分類分けするステップと、
上記分類分け結果に応じて同じ顔で異なる色、またはパターンの画像を一括表示するステップと、
をコンピュータに実行させるプログラム。
【請求項１５】
撮影画像を記憶するステップと、
上記撮影画像上で指定された人物と同一人物が写っている画像か否かを判定するステップと、
同一人物と判定された画像について、異なる服装を着用していると判定された画像を検索するステップと、
上記検索によって、予め決められた数の画像を検索すると、検索された画像を一括して表示するステップと、
をコンピュータに実行させるプログラム。
【請求項１６】
上記表示するステップは、
上記検索された画像から、人物の部分を抜き出すステップと、
上記抜き出すステップにより抽出された人物を表示する、
ことをコンピュータに実行させる請求項１５に記載のプログラム。
【手続補正２】
【補正対象書類名】明細書
【補正対象項目名】０００７
【補正方法】変更
【補正の内容】
【０００７】
上記目的を達成するため第１の発明に係わる画像表示装置は、撮影画像内の顔画像を検知し、上記顔画像の大きさと位置を検知可能な顔検知部と、上記撮影画像を、顔画像のパターンと、顔画像の下の色、またはパターンで分類分けする分類部と、上記分類部による分類分け結果に応じて同じ顔で異なる色、またはパターンの画像を表示する表示制御部と、を有しており、上記表示制御部は、上記顔画像に基づいて人物の部分を抽出し、上記人物の部分を表示する。
【手続補正３】
【補正対象書類名】明細書
【補正対象項目名】０００８
【補正方法】変更
【補正の内容】
【０００８】
第２の発明に係わる画像表示装置は、上記第１の発明において、上記表示制御部は、上記顔画像の大きさ及び／又は位置を変更する。
第３の発明に係わる画像表示装置は、上記第２の発明において、上記表示制御部における表示では、上記分類部によって分類によって分類された複数の画像から人物の部分を、同時に、または順次に表示する。
【手続補正４】
【補正対象書類名】明細書
【補正対象項目名】０００９
【補正方法】変更
【補正の内容】
【０００９】
第４の発明に係わる画像表示装置は、上記第２の発明において、上記表示制御部における表示の際に、２つの画像の間に、この２つの画像を合成した合成画像を表示する。
【手続補正５】
【補正対象書類名】明細書
【補正対象項目名】００１０
【補正方法】変更
【補正の内容】
【００１０】
第５の発明に係わる画像表示装置は、撮影画像を記憶する記憶部と、上記撮影画像上で指定された人物と同一人物が写っている画像か否かを判定する人物判定部と、上記撮影画像上の人物の服装部分を判定する服装判定部と、上記人物判定部によって同一人物と判定された画像について、上記服装判定部によって異なる服装を着用していると判定された画像を検索する検索部と、上記検索部によって、検索された画像を表示する表示部と、を有する。
【手続補正６】
【補正対象書類名】明細書
【補正対象項目名】００１１
【補正方法】変更
【補正の内容】
【００１１】
第６の発明に係わる画像表示装置は、上記第５の発明において、上記表示部は、上記検索部によって検索された予め決められた数の画像を、同時に、または順次に表示する。
第７の発明に係わる画像表示装置は、上記第５の発明において、上記表示部における表示では、上記検索部によって検索された画像中の顔の大きさ及び／又は位置を揃える。
【手続補正７】
【補正対象書類名】明細書
【補正対象項目名】００１２
【補正方法】変更
【補正の内容】
【００１２】
第８の発明に係わる画像表示装置は、上記第５の発明において、上記検索部によって検索された画像から、人物の部分を抜き出す人物抽出部をさらに有し、上記表示部は、上記人物抽出部によって抽出された人物を表示する。
【手続補正８】
【補正対象書類名】明細書
【補正対象項目名】００１３
【補正方法】変更
【補正の内容】
【００１３】
第９の発明に係わる画像表示装置は、上記第８の発明において、上記表示部は、上記検索部によって検索された複数の人物の大きさ、及び／又は位置を揃える。
第１０の発明に係わる画像表示装置は、上記第８の発明において、上記表示部は、上記検索部によって検索された複数の人物を、同時、または順次表示する。
【手続補正９】
【補正対象書類名】明細書
【補正対象項目名】００１４
【補正方法】変更
【補正の内容】
【００１４】
第１１の発明に係わる画像表示方法は、撮影画像内の顔画像を検知するステップと、上記撮影画像を、顔画像のパターンと、顔画像の下の色、またはパターンで分類分けするステップと、上記分類分け結果に応じて同じ顔で異なる色、またはパターンの画像を一括表示するステップと、を有する。
第１２の発明に係わる画像表示方法は、撮影画像を記憶するステップと、上記撮影画像上で指定された人物と同一人物が写っている画像か否かを判定するステップと、同一人物と判定された画像について、異なる服装を着用していると判定された画像を検索するステップと、上記検索によって、予め決められた数の画像を検索すると、検索された画像を一括して表示するステップと、を有する。
第１３の発明に係わる画像表示方法は、上記第１２の発明において、上記表示するステップでは、更に、上記検索された画像から、人物の部分を抜き出すステップと、上記抽出された人物を表示するステップと、を有する。
【手続補正１０】
【補正対象書類名】明細書
【補正対象項目名】００１５
【補正方法】変更
【補正の内容】
【００１５】
第１４の発明に係わるプログラムは、撮影画像内の顔画像を検知するステップと、上記撮影画像を、顔画像のパターンと、顔画像の下の色、またはパターンで分類分けするステップと、上記分類分け結果に応じて同じ顔で異なる色、またはパターンの画像を一括表示するステップと、をコンピュータに実行させる。
第１５の発明に係わるプログラムは、撮影画像を記憶するステップと、上記撮影画像上で指定された人物と同一人物が写っている画像か否かを判定するステップと、同一人物と判定された画像について、異なる服装を着用していると判定された画像を検索するステップと、上記検索によって、予め決められた数の画像を検索すると、検索された画像を一括して表示するステップと、をコンピュータに実行させる。
第１６の発明に係わるプログラムは、上記第１５の発明において、上記表示するステップは、上記検索された画像から、人物の部分を抜き出すステップと、上記抜き出すステップにより抽出された人物を表示する、ことをコンピュータに実行させる。